(57)【要約】      （修正有）【課題】タッチパネル式携帯端末を複数台組み合わせて、簡単に構築できると共に、これらを建築構造物の表面や人物などに装着することにより簡易な広告媒体として活用することができるマルチディスプレイシステムを提供する。【解決手段】少なくとも通信送受信部、画像再生制御部、電源供給部を備えたマスタ再生端末２ａ及び複数のスレーブ再生端末２ｂにより構成されるマルチ画面と、画像情報を配信する配信サーバとを有し、配信サーバは、マスタ再生端末及びスレーブ再生端末へ専用のプログラムソフトを使用してマルチ画面に表示される画像をシームレス画像とし、マスタ再生端末及び複数のスレーブ再生端末で構成されたマルチ画面は、建築構造物（例えばポスト１）あるいは人物に取り付けられて広告媒体とされることを特徴とする。【選択図】図１
0003183868.tif 000002
【実用新案登録請求の範囲】
【請求項１】
少なくとも通信送受信部、画像再生制御部、電源供給部を備えたマスタ再生端末及び複数のスレーブ再生端末により構成されるマルチ画面と、前記マスタ再生端末及びスレーブ再生端末へ前記通信送受信部を介して画像情報を配信する配信サーバと、を有してなり、
前記配信サーバは、前記マスタ再生端末及びスレーブ再生端末へ専用のプログラムソフトを使用して前記マルチ画面に表示される画像をシームレス画像とすると共に、前記マスタ再生端末及び複数のスレーブ再生端末で構成されたマルチ画面は、建築構造物あるいは人物に取り付けられて広告媒体とされる、
ことを特徴としたマルチディスプレイ装置。
【考案の詳細な説明】
【技術分野】
【０００１】
本考案は、複数のディスプレイからなるマルチディスプレイ装置に係り、特に、複数のタッチパネル式携帯端末を使用したマルチディスプレイ装置に関するものである。
【背景技術】
【０００２】
従来、複数の液晶ディスプレイや複数のプラズマディスプレイなどから構成されるマルチパネルに1つの一体的な画像、映像を映し出すマルチディスプレイ装置は一般に知られている。
【０００３】
また、前記一体的な画像、映像を映し出すマルチディスプレイの設置構造についても各種の創案がなされており、多種多様なマルチディスプレイ構造が提案されている。
【先行技術文献】
【特許文献】
【０００４】
【特許文献１】実用新案登録第３１６０２６０号
【考案の概要】
【考案が解決しようとする課題】
【０００５】
ところで、近年、ディスプレイの表面をタッチして操作するいわゆるタッチパネル式携帯端末が急速に普及しており、いわゆる携帯電話に変わる電話ツールやパソコンに変わる携帯端末として急激な支持拡大を遂げている。
【０００６】
そこで、本件考案者は、前記のいわゆるタッチパネル式携帯端末を利用してマルチディスプレイ装置とする考案を創案した。
【０００７】
従来のマルチディスプレイ装置は比較的大型で、小型のものでも一台のディスプレイの大きさは16インチを超えており、これらを複数台組み合わせてマルチディスプレイとすると、かなりの重量になると共に、マルチディスプレイの画面が大きくなりすぎてしまうものであった。
【０００８】
しかしながら、タッチパネル式携帯端末は、比較的小型でしかもかなりの軽量端末である。
【０００９】
従って、前記のタッチパネル式携帯端末を複数台組み合わせて、マルチディスプレイ装置を簡単に構築できると共に、これらを建築構造物の表面や人物などに装着することにより簡易な広告媒体として活用することができるのである。
【課題を解決するための手段】
【００１０】
本考案は、少なくとも通信送受信部、画像再生制御部、電源供給部を備えたマスタ再生端末及び複数のスレーブ再生端末により構成されるマルチ画面と、前記マスタ再生端末及びスレーブ再生端末へ前記通信送受信部を介して画像情報を配信する配信サーバと、を有してなり、
前記配信サーバは、前記マスタ再生端末及びスレーブ再生端末へ専用のプログラムソフトを使用して前記マルチ画面に表示される画像をシームレス画像とすると共に、前記マスタ再生端末及び複数のスレーブ再生端末で構成されたマルチ画面は、建築構造物あるいは人物に取り付けられて広告媒体とされる、
ことを特徴とするものである。
【考案の効果】
【００１１】
本考案によるマルチディスプレイ装置であれば、使用されるタッチパネル式携帯端末が、比較的小型でしかもかなりの軽量端末であるため、当該タッチパネル式携帯端末を複数台組み合わせて、簡単な作業でマルチディスプレイ装置を構築でき、またこの構築したタッチパネル式携帯端末により構築したマルチディスプレイ装置を建築構造物の表面や人物などに装着することにより簡易な広告媒体として活用することができるとの優れた効果を奏する。
【図面の簡単な説明】
【００１２】
【図１】本考案の概略構成説明図（１）である。
【図２】本考案の概略構成説明図（２）である。
【図３】本考案の概略構成説明図（３）である。
【図４】本考案の概略構成説明図（４）である。
【図５】本考案の概略構成説明図（５）である。
【考案を実施するための形態】
【００１３】
以下、本考案を図に示す実施例に基づいて説明する。
【００１４】
図１は構造物の1つである郵便ポスト１に本考案によるマルチディスプレイ装置を設置した具体例を示すものである。
【００１５】
この実施例では、郵便ポスト１の表面側に５台のタッチパネル式携帯端末２・・・が装着されている。
【００１６】
この中で１台は、マスタ画面再生用のタッチパネル式携帯端末２ａであり、残余の端末はスレーブ画面再生用のタッチパネル式携帯端末２ｂ・・・となる。
【００１７】
ここで、図５から理解されるように、タッチパネル式携帯端末２は、パネルの表面をタッチして入力可能に構成された表示部３、ＣＰＵよりなる制御部４、そしてメモリなどからなる記憶部５、ＷＩＦＩなどを利用して送受信が可能とされている送信部６及び受信部７、そしてリチウム電池など充電できるよう構成される電源部８を有して構成されている。
【００１８】
該タッチパネル式携帯端末２には、所定のプログラムソフトウエアーが搭載されており、このプログラムソフトウエアーを起動することにより、通常のパソコンとほぼ同様の作業も行えるものとなっている。
【００１９】
起動並びに操作は前記の様に表示部３であるパネルにタッチすることで行われ、インターネットを介し、ダウンロードなどして搭載した各種のアプリケーションソフトを起動してゲーム等も行え、また、送信部６及び受信部７からインターネットなどの通信回線９を介し、各種のインターネットサイトから所望の情報を取得することもできる。
【００２０】
しかるに本実施例では、このようなタッチパネル式携帯端末２を5台使用していわゆるマルチ画面を構成し、該マルチ画面上にシームレスの映像を映し出すものとしている。
【００２１】
符号１０は、画像情報を配信する配信用のサーバコンピュータであり、該サーバコンピュータ１０についても、表示部３、制御部４、記憶部５、送信部６、受信部７及び電源部８を有して構成される。
【００２２】
しかして、サーバコンピュータ１０は制御部４において、配信すべき画像データを分割制御し、１台のマスタ画面再生用のタッチパネル式携帯端末２ａ、及び４台のスレーブ画面再生のタッチパネル式携帯端末２ｂへその分割した映像データを各々専用のプログラスソフトを起動して配信出来る様構成される。
【００２３】
すなわち、配信サーバであるサーバコンピュータ10は、例えば、所定のマルチ画面再生用プログラムソフトを使用し、１つの画像データを分割して１台のマスタ画面再生用のタッチパネル式携帯端末２ａへ、そして４台のスレーブ画面再生用のタッチパネル式携帯端末２ｂ・・・へ各々配信制御信号と共に配信する様構成される。
【００２４】
配信先の１台のマスタ画面再生用のタッチパネル式携帯端末２ａ、そして４台のスレーブ画面再生用のタッチパネル式携帯端末２ｂ・・・では、受信部７を介してサーバコンピュータ１０から配信された前述の分割画像データを配信制御信号と共に受信し、該受信した配信制御信号によって分割制御された分割画像データが前記１台のマスタ画面再生用のタッチパネル式携帯端末２ａ及び４台のスレーブ画面再生用のタッチパネル式携帯端末２ｂ・・・によって構成されるマルチ画面へシームレスの画像として再生されるものとなる。
【００２５】
図２は、自動車１１の車体に本考案のタッチパネル式携帯端末２・・・を複数台搭載した実施例である。
【００２６】
比較的フラットな面が多いドアの付近では比較的大きい画面のタッチパネル式携帯端末２・・・を装着し、車体のフロント面など曲面の多い箇所には小型パネルのタッチパネル式携帯端末２・・・を装着して車体の表面に、くまなく再生用の画面が設置できるものとなる。
【００２７】
このように自動車１１の表面に複数のタッチパネル式携帯端末２・・・を設置し、これらタッチパネル式携帯端末２・・・にシームレスな画像、あるいは動画を映し出した自動車１１を走行させれば、きわめて安価なコストで多大な広告宣伝効果を発揮する広告媒体を提供することができる。
【００２８】
図３は、例えば若い女性１２に本考案によるタッチパネル式携帯端末２・・・を装着した例であり、例えばコンパニオンガールなどの前側表面に複数台のタッチパネル式携帯端末２・・・を装着すれば、若い女性の華やかさと相まって、複数のタッチパネル式携帯端末２・・・から映し出されるシームレス画像やシームレス動画が引き立ち、優れた広告媒体が提供できるものとなる。
【００２９】
図４は街の公園や広場などに設置されたいわゆるモニュメント１３に大量のタッチパネル式携帯端末２・・・を装着した例を示すものであり、これら大量のタッチパネル式携帯端末２・・・をモニュメント１３の表面全体に装着することにより、例えばクリスマスの時期とかお盆の時期とか短期間のフェスティバル時期に安価な費用で街の装飾が行えるとの効果が期待できる。
【符号の説明】
【００３０】
１      郵便ポスト
２      タッチパネル式携帯端末
２ａ    マスタ画面再生用タッチパネル式携帯端末
２ｂ    スレーブ画面再生用タッチパネル式携帯端末
３      表示部
４      制御部
５      記憶部
６      送信部
７      受信部
８      電源部
９      通信回線
１０    サーバコンピュータ
１１    自動車
１２    女性
１３    モニュメント
【図１】
0003183868.tif 000003
【図２】
0003183868.tif 000004
【図３】
0003183868.tif 000005
【図４】
0003183868.tif 000006
【図５】
0003183868.tif 000007
【手続補正書】
【提出日】平成25年3月25日(2013.3.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも通信送受信部、画像再生制御部、電源供給部を備えたマスタ再生端末及び複数のスレーブ再生端末により構成されるマルチ画面と、前記マスタ再生端末及びスレーブ再生端末へ前記通信送受信部を介して画像情報を配信する配信サーバと、を有してなり、
前記配信サーバは、前記マスタ再生端末及びスレーブ再生端末へ専用のプログラムソフトを使用して前記マルチ画面に表示される画像をシームレス画像とすると共に、前記マスタ再生端末及び複数のスレーブ再生端末で構成されたマルチ画面は、建築構造物あるいは人物に取り付けられて広告媒体とされる、
ことを特徴としたマルチディスプレイシステム。
【手続補正２】
【補正対象書類名】明細書
【補正対象項目名】全文
【補正方法】変更
【補正の内容】
【考案の詳細な説明】
【技術分野】
【０００１】
本考案は、複数のディスプレイからなるマルチディスプレイシステムに係り、特に、複数のタッチパネル式携帯端末を使用したマルチディスプレイシステムに関するものである。
【背景技術】
【０００２】
従来、複数の液晶ディスプレイや複数のプラズマディスプレイなどから構成されるマルチパネルに1つの一体的な画像、映像を映し出すマルチディスプレイシステムは一般に知られている。
【０００３】
また、前記一体的な画像、映像を映し出すマルチディスプレイの設置構造についても各種の創案がなされており、多種多様なマルチディスプレイ構造が提案されている。
【先行技術文献】
【特許文献】
【０００４】
【特許文献１】実用新案登録第３１６０２６０号
【考案の概要】
【考案が解決しようとする課題】
【０００５】
ところで、近年、ディスプレイの表面をタッチして操作するいわゆるタッチパネル式携帯端末が急速に普及しており、いわゆる携帯電話に変わる電話ツールやパソコンに変わる携帯端末として急激な支持拡大を遂げている。
【０００６】
そこで、本件考案者は、前記のいわゆるタッチパネル式携帯端末を利用してマルチディスプレイシステムとする考案を創案した。
【０００７】
従来のマルチディスプレイシステムは比較的大型で、小型のものでも一台のディスプレイの大きさは16インチを超えており、これらを複数台組み合わせてマルチディスプレイとすると、かなりの重量になると共に、マルチディスプレイの画面が大きくなりすぎてしまうものであった。
【０００８】
しかしながら、タッチパネル式携帯端末は、比較的小型でしかもかなりの軽量端末である。
【０００９】
従って、前記のタッチパネル式携帯端末を複数台組み合わせて、マルチディスプレイシステムを簡単に構築できると共に、これらを建築構造物の表面や人物などに装着することにより簡易な広告媒体として活用することができるのである。
【課題を解決するための手段】
【００１０】
本考案は、少なくとも通信送受信部、画像再生制御部、電源供給部を備えたマスタ再生端末及び複数のスレーブ再生端末により構成されるマルチ画面と、前記マスタ再生端末及びスレーブ再生端末へ前記通信送受信部を介して画像情報を配信する配信サーバと、を有してなり、
前記配信サーバは、前記マスタ再生端末及びスレーブ再生端末へ専用のプログラムソフトを使用して前記マルチ画面に表示される画像をシームレス画像とすると共に、前記マスタ再生端末及び複数のスレーブ再生端末で構成されたマルチ画面は、建築構造物あるいは人物に取り付けられて広告媒体とされる、
ことを特徴とするものである。
【考案の効果】
【００１１】
本考案によるマルチディスプレイシステムであれば、使用されるタッチパネル式携帯端末が、比較的小型でしかもかなりの軽量端末であるため、当該タッチパネル式携帯端末を複数台組み合わせて、簡単な作業でマルチディスプレイシステムを構築でき、またこの構築したタッチパネル式携帯端末により構築したマルチディスプレイシステムを建築構造物の表面や人物などに装着することにより簡易な広告媒体として活用することができるとの優れた効果を奏する。
【図面の簡単な説明】
【００１２】
【図１】本考案の概略構成説明図（１）である。
【図２】本考案の概略構成説明図（２）である。
【図３】本考案の概略構成説明図（３）である。
【図４】本考案の概略構成説明図（４）である。
【図５】本考案の概略構成説明図（５）である。
【考案を実施するための形態】
【００１３】
以下、本考案を図に示す実施例に基づいて説明する。
【００１４】
図１は構造物の1つである郵便ポスト１に本考案によるマルチディスプレイシステムにおけるマルチディスプレイを設置した具体例を示すものである。
【００１５】
この実施例では、郵便ポスト１の表面側に５台のタッチパネル式携帯端末２・・・が装着されている。
【００１６】
この中で１台は、マスタ画面再生用のタッチパネル式携帯端末２ａであり、残余の端末はスレーブ画面再生用のタッチパネル式携帯端末２ｂ・・・となる。
【００１７】
ここで、図５から理解されるように、タッチパネル式携帯端末２は、パネルの表面をタッチして入力可能に構成された表示部３、ＣＰＵよりなる制御部４、そしてメモリなどからなる記憶部５、ＷＩＦＩなどを利用して送受信が可能とされている送信部６及び受信部７、そしてリチウム電池など充電できるよう構成される電源部８を有して構成されている。
【００１８】
該タッチパネル式携帯端末２には、所定のプログラムソフトウエアーが搭載されており、このプログラムソフトウエアーを起動することにより、通常のパソコンとほぼ同様の作業も行えるものとなっている。
【００１９】
起動並びに操作は前記の様に表示部３であるパネルにタッチすることで行われ、インターネットを介し、ダウンロードなどして搭載した各種のアプリケーションソフトを起動してゲーム等も行え、また、送信部６及び受信部７からインターネットなどの通信回線９を介し、各種のインターネットサイトから所望の情報を取得することもできる。
【００２０】
しかるに本実施例では、このようなタッチパネル式携帯端末２を5台使用していわゆるマルチ画面を構成し、該マルチ画面上にシームレスの映像を映し出すものとしている。
【００２１】
符号１０は、画像情報を配信する配信用のサーバコンピュータであり、該サーバコンピュータ１０についても、表示部３、制御部４、記憶部５、送信部６、受信部７及び電源部８を有して構成される。
【００２２】
しかして、サーバコンピュータ１０は制御部４において、配信すべき画像データを分割制御し、１台のマスタ画面再生用のタッチパネル式携帯端末２ａ、及び４台のスレーブ画面再生のタッチパネル式携帯端末２ｂへその分割した映像データを各々専用のプログラスソフトを起動して配信出来る様構成される。
【００２３】
すなわち、配信サーバであるサーバコンピュータ10は、例えば、所定のマルチ画面再生用プログラムソフトを使用し、１つの画像データを分割して１台のマスタ画面再生用のタッチパネル式携帯端末２ａへ、そして４台のスレーブ画面再生用のタッチパネル式携帯端末２ｂ・・・へ各々配信制御信号と共に配信する様構成される。
【００２４】
配信先の１台のマスタ画面再生用のタッチパネル式携帯端末２ａ、そして４台のスレーブ画面再生用のタッチパネル式携帯端末２ｂ・・・では、受信部７を介してサーバコンピュータ１０から配信された前述の分割画像データを配信制御信号と共に受信し、該受信した配信制御信号によって分割制御された分割画像データが前記１台のマスタ画面再生用のタッチパネル式携帯端末２ａ及び４台のスレーブ画面再生用のタッチパネル式携帯端末２ｂ・・・によって構成されるマルチ画面へシームレスの画像として再生されるものとなる。
【００２５】
図２は、自動車１１の車体に本考案のタッチパネル式携帯端末２・・・を複数台搭載した実施例である。
【００２６】
比較的フラットな面が多いドアの付近では比較的大きい画面のタッチパネル式携帯端末２・・・を装着し、車体のフロント面など曲面の多い箇所には小型パネルのタッチパネル式携帯端末２・・・を装着して車体の表面に、くまなく再生用の画面が設置できるものとなる。
【００２７】
このように自動車１１の表面に複数のタッチパネル式携帯端末２・・・を設置し、これらタッチパネル式携帯端末２・・・にシームレスな画像、あるいは動画を映し出した自動車１１を走行させれば、きわめて安価なコストで多大な広告宣伝効果を発揮する広告媒体を提供することができる。
【００２８】
図３は、例えば若い女性１２に本考案によるタッチパネル式携帯端末２・・・を装着した例であり、例えばコンパニオンガールなどの前側表面に複数台のタッチパネル式携帯端末２・・・を装着すれば、若い女性の華やかさと相まって、複数のタッチパネル式携帯端末２・・・から映し出されるシームレス画像やシームレス動画が引き立ち、優れた広告媒体が提供できるものとなる。
【００２９】
図４は街の公園や広場などに設置されたいわゆるモニュメント１３に大量のタッチパネル式携帯端末２・・・を装着した例を示すものであり、これら大量のタッチパネル式携帯端末２・・・をモニュメント１３の表面全体に装着することにより、例えばクリスマスの時期とかお盆の時期とか短期間のフェスティバル時期に安価な費用で街の装飾が行えるとの効果が期待できる。
【符号の説明】
【００３０】
１      郵便ポスト
２      タッチパネル式携帯端末
２ａ    マスタ画面再生用タッチパネル式携帯端末
２ｂ    スレーブ画面再生用タッチパネル式携帯端末
３      表示部
４      制御部
５      記憶部
６      送信部
７      受信部
８      電源部
９      通信回線
１０    サーバコンピュータ
１１    自動車
１２    女性
１３    モニュメント